(57)【要約】ウォーターサーバー用の大型の容器（１００）であって、容器（１００）の側壁の中に凹部として形成されたサイドグリップと容器（１００）の底（３）の中央部の中の凹部として形成されたボトムグリップ（９）とを有する。サイドグリップ（８）及びボトムグリップ（９）は、持ち上げ、運搬を容易にするために備えられている。【選択図】図６
2017514761.tif 000002
【特許請求の範囲】
【請求項１】
ウォーターサーバー用の熱可塑性材料の容器（１００）であって、長手方向軸（Ｚ）を画定し、
‐  ネック（７）と、
‐  側壁を有する胴体（１）と、
‐  前記長手方向軸（Ｚ）に関して互いに向かい合せに配置された少なくとも２つのサイドグリップ（８）であって、それぞれが、前記長手方向軸（Ｚ）を実質的に横断するネック（７）の近傍の面を有する前記側壁の中の１つの凹部として形成され、それぞれが、前記容器（１００）を垂直に持ち上げるためにユーザの手の指を収容するように調整されたサイドグリップ（８）と、
‐  基面を画成し、前記容器（１００）をその下端で閉じる底（３）であって、
平坦な基面を形成する周辺部と、
前記周辺部に関して凹角である中央部と、
前記周辺部に関して１つの凹部として形成され、手の指を収容するよう調整された少なくとも１つのベースグリップ（９）とを含む底（３）と、を含み、
それによってそれぞれの前記サイドグリップ（８）及び前記少なくとも１つのベースグリップ（９）がユーザの手による把持領域を備えるように形成される、
容器（１００）。
【請求項２】
少なくとも２つの前記ベースグリップ（９）を有する、請求項１に記載の容器（１００）。
【請求項３】
２つの前記サイドグリップ（８）と２つの前記ベースグリップ（９）を有する、請求項２に記載の容器（１００）。
【請求項４】
それぞれの前記サイドグリップ（８）が対応する前記ベースグリップ（９）と一列に配置される、請求項２又は３に記載の容器（１００）。
【請求項５】
前記胴体（１）が円形断面を有する、請求項１〜４のいずれか一項に記載の容器（１００）。
【請求項６】
前記サイドグリップ（８）及び前記ベースグリップ（９）が、吹込工程の間の前記容器（１００）の前記壁の変形によって形成される、請求項１〜５のいずれか一項に記載の容器（１００）。
【請求項７】
前記胴体（１）に関して、上部周状隆起部（４）及び下部周状隆起部（５）を有する、請求項１〜６のいずれか一項に記載の容器（１００）。
【請求項８】
前記胴体が最大直径を有し、それぞれの前記サイドグリップ（８）の幅（Ｗ）は前記最大直径の２０％と４０％との間の範囲にある、請求項１〜７のいずれか一項に記載の容器。
【請求項９】
前記サイドグリップ（８）が前記容器（１００）の基面から前記容器（１００）の全高さ（ｈ）の５０％〜６５％に相当する高さに配置される、より好ましくは５４％〜６０％の間の高さに配置される、請求項１〜８のいずれか一項に記載の容器（１００）。
【請求項１０】
前記ベースグリップ（９）の深さ（Ｅ）が、前記長手方向軸（Ｚ）に沿った前記底（３）の最大深さ（Ｄ）の６５％と７５％との間の範囲にある、より好ましくは６８％と７２％との間の範囲にある、請求項１〜９のいずれか一項に記載の容器（１００）。
【請求項１１】
それぞれの前記サイドグリップ（８）の、前記長手方向軸に垂直な複数の前記横断面が実質的に円の複数の円弧の形状を有し、前記長手方向軸（Ｚ）を含む前記長手方向の複数の断面が円（ｃ）の１つの円弧の形状を有し、前記円（ｃ）が前記胴体（１）の半径の６６％と８１％との間の半径を有し、好ましくは７０％と７７％との間の半径を有し、前記円（ｃ）の前記円弧は前記底（３）に近位の胴体（１）の面の最初の面から開始して、最大深さの点、前記底（３）から遠位の外面の面で終わり、その点から前記グリップ（８）の前記面が湾曲線（ｄ）に従って折り返し、傾斜した直線（ｒ）に従って前記主胴体（１）の側面に到達する、請求項１〜１０のいずれか一項に記載の容器（１００）。
【発明の詳細な説明】
【技術分野】
【０００１】
本発明は、大型の飲料水容器、より専門的にはウォーターサーバーに接続するのに使用される飲料水容器に関する。
【発明の概要】
【発明が解決しようとする課題】
【０００２】
ウォーターサーバーは事務所及び工場ではおなじみのアイテムであり、便利ですぐに利用できる飲料水源を提供する。ウォーターサーバーは、通常、ポリカーボネート、ＰＥＴ等のポリマー材料製の交換可能な飲料水が充填された容器を利用する。かなり大きくて、重たい飲料水が充填された形で供給されるこれらの容器は、サイトに運搬され、保管され、人の手によってウォーターサーバーの中の位置に設置されなければならない。容器を再充填するためには新しい容器を棚からネックによって取り出さなくてはならず、通常は、新しい容器は容器を配達する人の肩の上に置かれる。ウォーターサーバーにこれらの容器を設置することすらも大変な作業となる。これらの容器は１２〜２５リットルの水を入れることが可能なので特に重くなる。この種の容器又は瓶を用いるこのタイプのウォーターサーバーの欠点のひとつは、実際、交換容器の取り扱い作業における困難の程度にある。幾つかのメーカは、垂直なグリップを挿入しており、長い間、このグリップが吹込型の中に挿入されている。垂直なグリップは、容器の運搬においては助けになるが、地面から容器を持ち上げてそれをウォーターサーバーの上に設置することにおいては不便である。これらの動作を容易にするための助けになり得るより扱い易いウォーターサーバー用の飲料水が充填された容器を提供し、同時に、この種の容器を用いるウォーターサーバーの使用をより普及させるためにそのような交換可能な容器について、強度と経済性を向上させることができれば助かるであろう。
【０００３】
上述のように、１０ｋｇを超える、通常は１０ｋｇを優に超えるウォーターサーバー用の飲料水容器を取り扱うのは厄介である。従来技術は、約１０ｋｇ又はそれ以上の重量がある容器をより扱い易くし、両手で持ち上げそしてウォーターサーバーの上に設置できるようにするための解決策については一切開示も示唆もしていない。
【課題を解決するための手段】
【０００４】
本発明の１つの目的は、特にそれを棚から取り出して、輸送し、そしてサーバーの上に設置しなければならないときに、輸送し易く、取扱いし易いウォーターサーバー用の飲料水容器又は瓶を提供することにより、上述の欠点を克服することである。本発明のもう１つの目的は、手を容易に挿入することが可能なだけでなく、微生物の増殖を許さないために洗浄過程の間、液体を流通することが可能なハンドグリップを有するウォーターサーバー用容器を提供することである。本発明のもう１つの目的は、サーバー用飲料水容器の吹込工程で形成される、一体的なサイドグリップ及びボトムグリップを有する容器を提供することである。上述の目的及び利点は、以下の請求項１によって規定される本発明によって達成される。すなわち、ウォーターサーバー用熱可塑性材料の容器であって、長手方向軸Ｚを画成し、
‐ネックと
‐側壁を有する胴体と
‐前記長手方向Ｚ軸に関して互いに向かい合わせに配置された少なくとも２つのサイドグリップであって、それぞれが、前記長手方向軸Ｚを実質的に横断するネックの近傍の面を有する前記側壁の中に１つの凹部として形成され、それぞれが前記容器を垂直に持ち上げるためにユーザの手の指を収容するように調整されたサイドグリップと、
‐基面を画成し、前記容器をその下端で閉じる底であって、
平坦な基面を形成する周辺部と、
前記周辺部に関して凹角の中央部と、
前記周辺部に関して１つの凹部として形成され、手の指を収容するように調整された少なくとも１つのベースグリップを含む底と、を含み、
それによって前記それぞれのサイドグリップ及び前記少なくとも１つのベースグリップがユーザの手による把持領域を備えるように形成される、容器。
【０００５】
前記少なくとも１つのベースグリップは、前記凹角の中央部の中に更に１つの凹部として形成されるのが好ましい。
【０００６】
有利なことに、本発明の容器は、普通、安全基準によって要求されているように、両手で持ち上げてサーバーの上に設置することができる。
【０００７】
そのような容器は、飲料水が充填されると特に重いので、容器を持ち上げ輸送し、そしてそれをウォーターサーバーの上に設置するのに、サイドグリップ及び少なくとも１つのベースグリップ、又はボトムグリップが使用できるのは有利である。例えば、容器を持ち上げ輸送するために、ユーザは自分の手をそれぞれのサイドグリップの中に入れてそれを把持することができる。特に、容器がその底を下にして置かれているときは、その人差し指、中指、薬指及び小指をフックのように曲げて入れてグリップを把持することができる。
【０００８】
その上、グリップは、人が片手をサイドグリップの中にもう一方の手をボトムグリップに入れて容器を把持したり、両手を２つのサイドグリップに入れて容器を把持したりして容器を持ち運ぶことが可能な位置にある。
【０００９】
更に、容器をウォーターサーバーの所定位置に設置するために、少なくとも１つのボトムグリップが有用である。なぜなら、ユーザは自分の人差し指、中指、薬指及び小指をボトムグリップの中に入れることができるからである。
【００１０】
容器又は瓶は、円形、四角形、多角形等のような様々な形状の横断面面積を有することができる。サイドグリップは様々な高さの位置、好ましくは容器の中央高さ近傍、に置くことができる。
【００１１】
通常、それぞれのサイドグリップは、実質的に数字の「７」のように形成される。特に、それぞれのサイドグリップは前記ネック又は上面に関して近位面、及び前記ネック又は下面に関して遠位面を備えている。前記近位面は前記長手方向軸Ｚに垂直な面に関して傾斜していることが好ましい。前記側壁から前記長手方向軸Ｚに向う方向を考慮すると前記近位面が下方に傾斜していることが尚更好ましい。前記近位面は実質的に平面であることが好ましい。
【００１２】
前記近位面及び遠位面は前記サイドグリップの最大内部深さで交差する。前記遠位面は湾曲し前記長手方向軸Ｚに垂直な面に関して傾斜していることが好ましい。前記側壁から前記長手方向軸Ｚに向う方向を考慮すると前記遠位面は上方に傾斜していることが尚更好ましい。
【００１３】
前記近位面及び遠位面は１つの弯曲面によって継がれており、前記長手方向軸Ｚを含む断面より視たときに、二次元的な表示では、その湾曲面が前記湾曲した遠位面との変曲点又は可撓線を形成することが好ましい。
【００１４】
前記容器が、そして特に前記サイドグリップ及び少なくとも１つの前記ボトムグリップが微生物の増殖を許さないように形成されていることが有利である。
【００１５】
前記底の前記凹角中央部が凹面であることが好ましい。前記周辺部は実質的に平坦又は平面であることが好ましい。
【００１６】
少なくとも１つの前記ボトムグリップが、前記長手方向軸Ｚから遠位の、前記中央部の周辺領域に備えられていることが好ましい。前記周辺領域は前記胴体の前記側壁の前記下部に近接していることが好ましい。
【００１７】
通常、ネックはウォーターサーバーとの接続に使用するのに適している。
【００１８】
本発明の更なる特徴並びに利点は、限定しない例による方法で説明されたサーバー飲料水容器の好ましいが、唯一ではない実施形態の、添付図面を参照した詳説を考慮することで明らかとなるであろう。
【図面の簡単な説明】
【００１９】
【図１】図１は、本発明の容器の斜視図である。
【図２】図２は、本発明の容器の側面図である。
【図３】図３は、本発明の容器の正面図である。
【図４】図４は、本発明の容器の底面図である。
【図５】図５は、本発明の容器の底の断面図である。
【図６】図６は、本発明の容器の斜視図である。
【発明を実施するための形態】
【００２０】
図における同じ数字及び同じ文字は同じ要素又は部であるとして扱う。
【００２１】
図１〜図６を参照して本発明の容器１００の特に好ましい実施形態を詳説する。
【００２２】
容器１００は、ＰＥＴの、熱可塑性プリフォームから吹込成形されることが好ましい。本発明の範囲を何ら限定しないこの例示的実施形態において、容器１００は、胴体１、飲料水を注ぐための開口を有するネック７に継がれている頂部２、及び、ネック７と正反対にあって容器１００を下端で閉じて基面を画成する、底３を含む。底３は、基面と一致する平坦な周辺部と、凹角中央部、すなわち、基面に関して内方に延びる中央部とを有する。中央部は凹面であって、その最大高さがその中心であることが好ましい。胴体１は円柱状の側壁を有し長手方向軸Ｚを画成する。周辺部は、容器１００の側壁の下部に近接していることが好ましい。容器１００は、本発明の範囲から逸脱しないで、四角形や多角形等のような他の型の横断面を有することが可能である。ネック７は長手方向軸Ｚと同軸である。１つの隆起している上部である上部周状隆起リング４は、平坦な側壁を有し、頂部２と胴体１との間に設けられている。１つの隆起している下部である下部周状又は下部放射状隆起リング５は、胴体１と底３との間に設けられている。１つの隆起している中央部である中央周状隆起リング６は、上部リング４及び下部リング５との間に設けられている。この場合、下部リング５からの距離は上部リング４からの距離よりも短い。隆起リング４、５、６は平坦な円柱状の側壁を有し、外径は胴体１の外面側壁の直径よりも僅かに大きい。隆起リング４、５、６は上部及び下部遷移円錐台形状面を備えている。隆起リング４、５、６は、より多くの容器を一緒に梱包したときに特に胴体１の側壁に対する損傷を避けるための中心的な範囲を有している。容器１００の頂部２は一般的な円錐台状の面を有しており、上部隆起リング４から円柱状のネック７に向かって上方に細くなる。このタイプの容器１００は１０リットル以上、２０〜２５リットルまでの飲料水を入れることが可能である。容器１００を簡単かつ容易に持ち上げて運搬するために少なくとも２つのサイドグリップ８、好ましくは胴体１の側壁の中の凹部として形成される２つのサイドグリップ８が設けられる。換言すると、サイドグリップ８は胴体１の外面に関して内側に延びる。サイドグリップ８は、ユーザがその手の、通常は親指を除く、４つの指を置くことができる場所を提供する。２つのサイドグリップ８は同一寸法かつ同一形状であることが好ましく、又、長手方向軸Ｚに関して対称に互いに向かい合って配置されることが好ましく、上部隆起リング４及び中央隆起リング６との間に配置されることが尚更好ましい。本発明の容器は１０Ｌ以上の容量を有することが好ましく、例えば約１９リットルの容量など、１２Ｌと２５Ｌと間の範囲にあることが尚更好ましい。サイドグリップ８の中心が長手方向軸Ｚに沿って容器１００の全高さｈの５０％と６５％との間にあることが好ましく、５４％と６０％との間にあることが尚更好ましい。容器１００の高さｈは、基面からネックの頂部まで約４８．７ｃｍであることが好ましい。好ましくは、しかしそれ以外を排除するものではないが、容器はその長手方向軸Ｚに垂直な方向に沿って、約２０ｃｍと約３０ｃｍとの間の範囲にある最大幅を有する。例えば、容器は、例えば約２７．１５ｃｍなど、約２５ｃｍと約２８ｃｍとの間の範囲にある最大直径を有することが可能である。サイドグリップ８は、手の挿入を容易にするだけでなく、微生物の増殖を許さないように洗浄過程の間の液体の流通を容易にするように構成される。それぞれのサイドグリップ８の形状は、長手方向軸Ｚに垂直な横断面において胴体１と同軸な１つの円を倣う一方、サイドグリップ８は長手方向軸Ｚを含む断面より視て、胴体１を代表する円柱の半径の６６％と８１％との間の半径を有する円「ｃ」の１つの円弧を形成することが好ましく、それが７０％と７７％との間であることが尚更好ましい。前記円「ｃ」の円弧は、中央リング６近傍の胴体１の側壁の面から開始して最大深さに到達するまで上部リング２に向けて内側に延び、最大深さからサイドグリップ８の面は湾曲線「ｄ」に倣って折り返し、長手方向軸Ｚに垂直な面に関して僅かに傾斜している直線「ｒ」によって再び胴体１の側壁に到達する。それぞれのサイドグリップ８の最大深さは、胴体１の半径の２０％と４０％との間の範囲にあり、これが２５％と３５％との間であることが好ましい。直線「ｒ」の勾配、すなわち長手方向軸Ｚに垂直な面に関するサイドグリップ８の上面の傾きは１．５°と２．５°との間であり、１．８°と２．２°との間であることが好ましい。サイドグリップ８の上面は容器１００を持ち上げるために使用される。それぞれのサイドグリップ８の長手方向軸Ｚに沿う高さＨは、容器１００の全高さＨの２０％と２５％との間であり、２１％と２４％との間であることが好ましい。一方、長手方向軸Ｚに垂直な面に沿う幅Ｗは、胴体１の直径の３０％と４５％との間の範囲にあり、それが前記直径の３５％と４０％との間であることが好ましい。底３の中央部は、中央部における更に深い凹部として形成された少なくとも１つのボトムグリップ９を含み、それが２つのボトムグリップ９を含むことが好ましい。ボトムグリップ９はユーザの手による把持領域を備えるように形成される。把持領域は通常、ユーザの手の中の親指を除いた指をその中に収容することが可能である。ボトムグリップ９は、サイドグリップ８と一列に配置されることが好ましく、又同一寸法かつ同一形状であることが好ましい。ボトムグリップ９は、長手方向軸Ｚに関して互いに正反対にあって、長手方向軸Ｚから同一距離に配置されることが好ましい。それぞれのボトムグリップ９は、長手方向軸Ｚに垂直な面の上に中央部を投影すると長手方向軸Ｚの上に中心を有する１つの環状扇形を描く。この環状扇形の外周の半径Ｂが、胴体１の半径の４８％と５５％との間の範囲にあり、それが５０％と５３％の間の範囲にあることが好ましい。それぞれの環状扇形の長手方向軸Ｚに直交する方向に沿った引き出し線の長さＬは、胴体１の半径の５０％と５８％との間の範囲にあり、５２％と５５％との間の範囲にあることが好ましい。長手方向軸Ｚに沿ったボトムグリップ９の深さＥは、長手方向軸Ｚに沿った底３の最大深さＤの６５％と７５％との間であり、それが６８％と７２％との間であることが好ましい。サイドグリップ８及びボトムグリップ９の位置は、例えば、人が片手をサイドグリップ８の１つに入れもう一方の手をボトムグリップ９の１つに入れるか、両手をサイドグリップ８���入れるか又は片手をボトムグリップ９に入れてもう１方の手でネックを把持して容器１００を把持することによって、運搬することができるようなものである。サイドグリップ８及びボトムグリップ９は容器の吹込生産工程の間に都合よく形成される。サイドグリップ８及びボトムグリップ９は、特に容器を持ち上げて運搬する時に、これらの作業を可能な限り最小の労力とするための容器の最適のグリップを提供するように設計される。容器を取り扱わなくてはならないとき、ボトムグリップ９はサイドグリップ８の上にレバレッジポントを有することにより容易なレバレッジを提供する。本発明を好ましい実施形態で詳説した。しかし、本発明はこの特定の実施形態に限定されることはなく、本発明の範囲を逸脱しないで変形することが可能であると解されるべきである。
【図１】
2017514761.tif 000003
【図２】
2017514761.tif 000004
【図３】
2017514761.tif 000005
【図４】
2017514761.tif 000006
【図５】
2017514761.tif 000007
【図６】
2017514761.tif 000008
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
ウォーターサーバー用の熱可塑性材料の容器（１００）であって、１２〜２５リットルの容積を有し、長手方向軸（Ｚ）を画成し、
‐  ネック（７）と、
‐  側壁を有する胴体（１）と、
‐  前記長手方向軸（Ｚ）に関して互いに向かい合せに配置された少なくとも２つのサイドグリップ（８）であって、それぞれが、前記長手方向軸（Ｚ）を実質的に横断するネック（７）の近傍の面を有する前記側壁の中の１つの凹部として形成され、それぞれが、前記容器（１００）を垂直に持ち上げるためにユーザの手の指を収容するように調整されたサイドグリップ（８）と、
‐  基面を画成し、前記容器（１００）をその下端で閉じる底（３）であって、
平坦な基面を形成する周辺部と、
前記周辺部に関して凹角である中央部と、
前記周辺部に関して１つの凹部として形成され、手の指を収容するよう調整された少なくとも１つのベースグリップ（９）とを含む底（３）と、を含み、
前記それぞれのサイドグリップ（８）は、
前記長手方向軸（Ｚ）に沿う高さ（Ｈ）であって、前記容器（１００）の全高さ（ｈ）の２０％と２５％との間にある高さ（Ｈ）と、
前記長手方向軸（Ｚ）に垂直な面に沿う幅（Ｗ）であって、前記胴体（１）の直径の３０％と４５％との間の範囲にある幅（Ｗ）とを有し、
それによってそれぞれの前記サイドグリップ（８）及び前記少なくとも１つのベースグリップ（９）がユーザの手による把持領域を備えるように形成される、
容器（１００）。
【請求項２】
少なくとも２つの前記ベースグリップ（９）を有する、請求項１に記載の容器（１００）。
【請求項３】
２つの前記サイドグリップ（８）と２つの前記ベースグリップ（９）を有する、請求項２に記載の容器（１００）。
【請求項４】
それぞれの前記サイドグリップ（８）が対応する前記ベースグリップ（９）と一列に配置される、請求項２又は３に記載の容器（１００）。
【請求項５】
前記胴体（１）が円形断面を有する、請求項１〜４のいずれか一項に記載の容器（１００）。
【請求項６】
前記サイドグリップ（８）及び前記ベースグリップ（９）が、吹込工程の間の前記容器（１００）の前記壁の変形によって形成される、請求項１〜５のいずれか一項に記載の容器（１００）。
【請求項７】
前記胴体（１）に関して、上部周状隆起部（４）及び下部周状隆起部（５）を有する、請求項１〜６のいずれか一項に記載の容器（１００）。
【請求項８】
前記サイドグリップ（８）が前記容器（１００）の基面から前記容器（１００）の全高さ（ｈ）の５０％〜６５％に相当する高さに配置される、より好ましくは５４％〜６０％の間の高さに配置される、請求項１〜７のいずれか一項に記載の容器（１００）。
【請求項９】
前記ベースグリップ（９）の前記深さ（Ｅ）が、前記長手方向軸（Ｚ）に沿った前記底（３）の最大深さ（Ｄ）の６５％と７５％との間の範囲にある、より好ましくは６８％と７２％との間の範囲にある、請求項１〜８のいずれか一項に記載の容器（１００）。
【請求項１０】
それぞれの前記サイドグリップ（８）の、前記長手方向軸に垂直な複数の前記横断面が実質的に円の複数の円弧の形状を有し、前記長手方向軸（Ｚ）を含む前記長手方向の複数の断面が円（ｃ）の１つの円弧の形状を有し、前記円（ｃ）が前記胴体（１）の半径の６６％と８１％との間の半径を有し、好ましくは７０％と７７％との間の半径を有し、前記円（ｃ）の前記円弧は前記底（３）に近位の胴体（１）の面の最初の面から開始して、最大深さの点、前記底（３）から遠位の外面の面で終わり、その点から前記グリップ（８）の前記面が湾曲線（ｄ）に従って折り返し、傾斜した直線（ｒ）に従って前記主
胴体（１）の側面に到達する、請求項１〜９のいずれか一項に記載の容器（１００）。
【国際調査報告】
2017514761.tif 000009
2017514761.tif 000010
2017514761.tif 000011